(57)【特許請求の範囲】
【請求項１】
正極と負極が多孔質セパレータを隔てて積層された電極体と、
電極体を収容する容器と、
容器内に収容されており、電極体の積層方向両側に当接してその電極体の膨張を抑制する膨張抑制部材とを備える二次電池。
【請求項２】
前記膨張抑制部材は、前記電極体が過充電されたときの膨張を抑制して多孔質セパレータの孔内に電極活物質を進入させるように構成されている請求項１に記載の二次電池。
【請求項３】
前記電極活物質の進入経路が前記多孔質セパレータを貫通する請求項２に記載の二次電池。
【請求項４】
前記膨張抑制部材は、前記電極体が過充電されたとき、その電極体の積層方向に圧縮応力が加わることにより正極と負極がセパレータの孔を通じて微小短絡するように設けられている請求項１〜３のいずれか一項に記載の二次電池。
【発明の詳細な説明】
【０００１】
【発明の属する技術分野】
本発明は、過充電を防止する機能を備えた二次電池に関する。
【０００２】
【従来の技術】
正極と負極とが多孔質セパレータを隔てて積層された電極体を容器に収容した二次電池が知られている。このような二次電池は、充電器の故障や誤使用等により過充電された場合、この過充電の程度が著しくなって電池が過熱すると多孔質セパレータが溶損して正極と負極とが短絡することがある。このような短絡の際に電池に蓄積されたエネルギー（電圧）が一気に開放されることによって電池に過大な負荷がかかる虞がある。
【０００３】
【発明が解決しようとする課題】
本発明の目的は、過充電を防止する機能を備えた二次電池を提供することである。本発明の他の目的は、過充電された場合、電池に過大なエネルギーが蓄積されることを防止する機能を備えた二次電池を提供することである。本発明のさらに他の目的は、過充電された場合、電池に蓄積されたエネルギーが一気に開放されることを防止する機能を備えた二次電池を提供することである。
【０００４】
【課題を解決するための手段と作用と効果】
本発明者は、過充電の程度が著しくなる前に、正極と負極の間にかかる電圧を積極的にかつ徐々に開放する（正極と負極を積極的に微小短絡させる）ことにより、上記目的を達成し得ることを見出して本発明を完成した。
【０００５】
本発明により提供される二次電池は、正極と負極が多孔質セパレータを隔てて積層された電極体と、電極体を収容する容器と、容器内に収容されており、電極体の積層方向両側に当接してその電極体の膨張を抑制する膨張抑制部材とを備える。
この膨張抑制部材は、電極体の積層方向両側に「当接」してその膨張を抑制する。ここで電極体は、初期状態（実質的に膨張していない状態）で既に膨張抑制部材に当接していてもよく、膨張する途中で膨張抑制部材に当接してもよい。電極体が膨張する途中で膨張抑制部材に当接する場合にも、電極体のそれ以上の膨張を膨張抑制部材によって抑制することができる。
【０００６】
電極体が過充電等により膨張しようとするとき、電極体に当接した膨張抑制部材が電極体の膨張に抗してこの電極体の積層方向に圧縮応力を加えることにより電極体の膨張が抑制される。そして、過充電の程度が著しくなる前に、この圧縮応力により正極と負極との間に微小な電流経路を生じさせて電圧の上昇を抑えることができる。すなわち過充電の進行を抑制することができる。また、上昇した電圧を徐々に降下させて、過充電により蓄積されたエネルギーを徐々に開放することができる。
【０００７】
ここで電極体の「積層方向」とは、正極と負極とがセパレータを隔てて重ねられた方向をいう。例えば、複数枚の正極シート、負極シートおよびセパレータを積み重ねてなる積層型の電極体にあっては、その電極体の厚み方向が積層方向となる。長尺状の正極シート、負極シートおよびセパレータを重ね合わせた積層シートを横断面円形の柱状に巻き上げてなる巻回型の電極体にあっては、この電極体の直径方向がいずれも積層方向に相当する。また、図５に示すように、巻回型の電極体１０であって横断面が扁平な形状（長円形状、楕円形状、長方形状等；図５には横断面が長円形状の場合を示している）である場合には、その巻回中心Ｇを通る方向がいずれも積層方向に相当する。これらの積層方向のうち、電極体１０の短径方向（厚み方向；図中矢印Ｓで示す）両側に当接するように膨張抑制部材（図示せず）を設けることが好ましい。
【０００８】
前記膨張抑制部材は、前記電極体が過充電されたときの膨張を抑制して多孔質セパレータの孔内に電極活物質を進入させるように構成することができる。
電極体が過充電されると、この過充電によって電極体が過熱したり、電解液が分解されてガスが発生したりすることにより電極体が膨張する。このとき、膨張抑制部材が電極体の積層方向への膨張を抑制する（電極体の積層方向への圧縮応力を加える）ことにより、電極活物質層がセパレータに押し付けられる。その押し付ける力が電極活物質層の強度を上回ると、電極活物質層の構造が崩れて電極活物質がセパレータの孔内に喰い込む（進入する）。このようにセパレータ孔内に進入した電極活物質によって、正極と負極との間に微小な電流経路を形成させることができる。この電流経路を利用して過充電の進行を抑制し、また過充電により蓄積されたエネルギーを徐々に（小刻みに）開放することができる。
【０００９】
なお、ここでセパレータの孔内に進入する電極活物質は、正極活物質および負極活物質のいずれか一方でもよく両方でもよい。その電極活物質の進入経路は多孔質セパレータを貫通していることが好ましい。正極活物質と負極活物質とがセパレータの両面から進入する場合には、これら両活物質の進入経路を合わせた経路がセパレータを貫通していればよい。
【００１２】
本発明の二次電池における膨張抑制部材は、容器内に収容されており電極体の積層方向両側に当接してその電極体の膨張を抑制する。
【００１６】
上述した本発明の二次電池において、前記膨張抑制部材は、前記電極体が過充電されたとき、その電極体の積層方向に圧縮応力が加わることにより正極と負極がセパレータの孔を通じて微小短絡するように、容器内に収容されていることが好ましい。この微小短絡は、例えば、正極活物質および負極活物質の少なくとも一方をセパレータの孔内に進入させることにより生じさせることができる。また、機械的応力（圧縮応力）によりセパレータの構造を変化させる（変形させる）ことによって微小短絡を生じさせてもよい。
この微小短絡の発生は、二次電池に電流を供給したときの電圧挙動を観察することにより確認することができる。例えば図９に模式的に示すように、微小短絡が発生すると（図中矢印Ａで示す時点）、充電電流を供給し続けているにもかかわらず電圧が徐々に降下する。あるいは、微小短絡の程度によっては電圧が降下はしないもののその上昇速度が鈍ることもある。この場合にも電流の供給を止めると電圧が徐々に降下する。
なお、本発明は、非水系および水系のいずれの電解液を用いた二次電池にも適用することができる。
【００１７】
【発明の実施の形態】
この発明は、また、下記の形態で実施することを特徴とする。
【００１８】
（形態１）本発明の適用される二次電池が非水系電解液を用いた二次電池である。特に好ましくはリチウムイオン二次電池である。かかる電池においては過充電によるエネルギーが蓄積されやすく、また蓄積されたエネルギーが一気に開放されたときに電池に過大な負荷がかかりやすい。したがって、本発明を適用することによる効果がよく発揮される。
【００１９】
（形態２）本発明の二次電池を構成する電極体は、正極シートと負極シートとを多孔質セパレータを介して巻回してなる巻回型の電極体である。このような電極体は、過充電されたとき、定寸の正極シートとセパレータと負極シートを積層した電極体等に比べて顕著に膨張する傾向がある。したがって、その膨張を抑制することにより正極と負極を微小短絡させるという本発明の作用を容易に実現することができる。
【００２０】
（形態３）正極および負極はそれぞれシート状の集電体を備える。それらの集電体の少なくとも一方には、その多孔質セパレータに対向する面に電極活物質粉末が保持されている。このような電極体は、過充電により膨張して積層方向に圧縮応力が加わることにより、この電極活物質粉末を多孔質セパレータの孔内に進入させやすい。したがって正極と負極を微小短絡させるという本発明の作用を容易に実現することができる。
【００２１】
【実施例】
（参考例１）
参考例１は、容器および外部サポートからなる膨張抑制部材を備えたリチウムイオン二次電池の一例である。
図１は、参考例１の二次電池を示す斜視図であり、図２はそのII−II線断面図である。図示するように、この二次電池１は、長円状に巻回された電極体１０と、電極体１０を収容する角型（平型）の容器２０と、容器２０を挟む外部サポート３０とを備える。この容器２０および外部サポート３０により膨張抑制部材４０が構成されている。
【００２２】
まず、電極体１０の構成および作製方法を説明する。
電極体１０を構成する正極シート１２の巻回前の状態を図３に示す。正極集電体１２としては長尺状アルミニウム箔を用いた。正極活物質を含有するペーストを正極集電体１２ａの両面に塗布して、正極集電体１２ａの両面に正極活物質層１２ｂを形成させた。このようにして正極シート１２を作製した。ここで、正極シート１２の一方の長辺には、いずれの面にも正極活物質層１２ｂが形成されていない活物質未塗工部１２ｃが設けられている。
【００２３】
負極シート１４の構造は正極シート１２と同様であるので、この負極シート１４についても図３を用いて説明する。図３において括弧内に記された符号は負極シート１４に対応するものである。負極集電体１４ａとしては長尺状銅箔を用いた。負極活物質を含有するペーストを負極集電体１４ａの両面に塗布して、両面に負極活物質層１４ｂの形成された負極シート１４を作製した。負極シート１４の一方の長辺には、いずれの面にも負極活物質層１４ｂが形成されていない活物質未塗工部１４ｃが設けられている。
【００２４】
セパレータとしては多孔質ポリプロピレン樹脂シートを使用した。このセパレータの平面形状は、図３に示す正極シート１２において正極活物質層１２ｂが形成されている領域とほぼ同形状である。
図４に示すように、両シート１２，１４および二枚のセパレータ１６を、セパレータ１６、正極シート１２、セパレータ１６、負極シート１４の順に重ね合わせる。このとき、正極シート１２の活物質未塗工部１２ｃと負極シート１４の活物質未塗工部１４ｃとがセパレータ１６の一方の長辺および他方の長辺からそれぞれはみ出すように両シート１２，１４を配置する。次いで、重ね合わせた両シート１２，１４およびセパレータ１６を巻回機等を用いて長辺方向に巻回する。この巻回体を径方向にプレスして、図５に示すように、横断面が長円形状の電極体１０を作製する。
【００２５】
なお、電極体１０の製造に使用する正極活物質としては、ＬｉＭｎ2Ｏ4、ＬｉＣｏＯ2、ＬｉＮｉＯ3等の、従来のリチウムイオン二次電池に用いられる正極活物質の一種または二種以上を特に限定なく使用することができる。負極活物質としては、アモルファスカーボン、グラファイトカーボン等の、従来のリチウムイオン二次電池に用いられる負極活物質の一種または二種以上を特に限定なく使用することができる。このような活物質を含有するペーストを調製するにあたっては、従来公知の結着剤、導電化剤、溶剤等を適宜使用することができる。これらペーストの集電体への塗布は、コンマコーター、ダイコーター等を用いて行うことができる。
【００２６】
図６に示すように、容器２０はアルミニウム製であって、有底四角筒状の電極体ケース２２と、電極体ケース２２の上端開口部を封止する蓋２４とを備える。この容器２０は６つ（３対）の平面部２０１〜２０６からなる直方体状である。平面部２０１と２０２、平面部２０３と２０４、平面部２０５と２０６（この平面部２０６は蓋２４により形成されている）とはそれぞれ対向している。
図２に示すように、電極体１０は、その巻回中心（巻回軸）Ｇが横倒しとなるように容器２０に収容されている。容器２０の有する６つの平面部のうち最も面積の広い一対の平面部（最大平面部）２０１，２０２の内壁に、電極体１０の厚み方向（積層方向の一つに相当する）の両側が当接している。この電極体１０には図示しない電解液が含浸されている。電解液としては、ジエチルカーボネートとエチレンカーボネートとの７：３（重量比）混合溶媒に１mol/リットルのＬｉＰＦ6を溶解させたもの等を用いることができる。また、電極体１０を構成する正極シート１２および負極シート１４（図４参照）は、容器２０から突出する正極端子２６および負極端子２８（図１および図６参照）にそれぞれ電気的に接続されている。
【００２７】
図１および図２に示すように、外部サポート３０は、容器２０の最大平面部２０１，２０２を挟んで配置された二枚の拘束板３２と、これらの拘束板３２をその四隅で連結する四本のボルト３４とを備える。各ボルト３４は、円形の頭部３４ａと、四角柱状の脚部３４ｂとを供える。これらのボルト３４によって二枚の拘束板３２が容器２０側に締め付けられて、最大平面部２０１，２０２に当接している。この外部サポート３０は、電極体１０の膨張に十分対抗できるだけの強度を有している。
【００２８】
次に、この二次電池の過充電時における作動を説明する。
過充電が進行すると、図２に示すように、電極体１０がその積層方向に膨張しようとする（図中矢印Ｐ1）。一方、容器２０の最大平面部２０１，２０２および外部サポート３０によって、電極体１０の厚み方向への膨張は抑制されている。これにより電極体１０には、その膨張力Ｐ1に対する反力として、厚み方向への圧縮応力（図中矢印Ｐ2）が加わる。この圧縮応力Ｐ2によって、図７に示す模式図のように、正極シート１２と負極シート１４との間に挟まれたセパレータ１６の両面に正極活物質層１２ｂおよび負極活物質層１４ｂが押し付けられる。この押し付け力は過充電の進行につれて大きくなる。例えば負極活物質層１４ｂの強度が正極活物質層１２ｂおよびセパレータ１６よりも低い場合、この押し付け力が負極活物質層１４ｂの強度を上回ると負極活物質層１４ｂの構造が崩れる。これにより、図８に示すように、負極活物質層１４ｂを構成していた負極活物質がセパレータ１６の孔内に進入する（押し込まれる）。このセパレータ１６内に進入した（食い込んだ）負極活物質によって正極シート１２と負極シート１４との間に微小な電流経路ｅが形成される。すなわち正極シート１２と負極シート１４とが微小短絡する。
【００２９】
この微小短絡は、図７に示す状態から、正極活物質層１２ｂを構成する正極活物質がセパレータ１６の孔内に進入することによっても生じさせることができる。また、正極活物質と負極活物質とがセパレータ１６の両面からそれぞれ進入してもよい。
【００３０】
参考例１の二次電池が微小短絡を起こす際の挙動を図９に示す。この図９は、ＳＯＣ（充電状態）１００％を超えて充電（電流供給）を続けたときの電圧および温度の変化を模式的に示す特性図である。
過充電が進行するにつれて電圧および温度が上昇する。このとき電極体が膨張しようとする力Ｐ1も増大するので、電極体には次第に強くなる圧縮応力Ｐ2が加わる。この圧縮応力Ｐ2がある程度まで強くなると、正極シートと負極シートとが微小短絡する（図中矢印Ａで示す時点）。すると、この微小短絡により電圧が徐々に開放される。
【００３１】
一方、従来の二次電池において、セパレータの溶損等により正極シートと負極シートとが完全に（マクロに）短絡した場合には、図９に示す微小短絡の場合とは異なり、図１０に模式的に示すように電圧が急激に低下する（図中矢印Ｂで示す時点）。このとき、電池に蓄積されていたエネルギーが一気に開放される。
【００３２】
なお、上記参考例１では平板状の拘束板３２が最大平面部２０１，２０２の全体に当接するように外部サポート３０を構成したが、図１１に示すように、この拘束板３２の中央部に容器２０側に突出する凸部３２ａを設けてもよい。このような構成とすることにより、容器２０の外形を最大平面部２０１，２０２の中央部で拘束することができるので、容器２０（電極体１０）の膨張をより効率よく抑制することができる。あるいは、図１２および１３に示すように、最大平面部２０１，２０２の中央部を、外部サポートとしてのクランプ３６によって拘束してもよい。
【００３３】
また、上記参考例１では容器２０の内面形状を平面状としたが、図１４に示すように、最大平面部２０１の中央部に容器内側に突出する凸部２０１ａを形成してもよい。また、最大平面部２０２の中央部にも同様の凸部を形成してもよい。このような構成とすると、膨張抑制材４０によって電極体１０に圧縮応力が加えられる（電極体１０の膨張が抑制される）とき、その圧縮応力が電極体１０の一部（凸部２０１ａに当接する箇所）に集中して加えられる。これにより、微小短絡の発生位置および発生時期を制御しやすくなる。
【００３４】
なお、上記参考例１ではリチウムイオン二次電池につき説明したが、本発明はニッケル水素電池、ニッケルカドミウム電池等の他の種類の二次電池にも適用することができる。正極および負極の活物質、集電体および端子ならびにセパレータ等の材質や電解液の組成等は、二次電池の種類に応じて適当に選択される。また、上記参考例１では正極シートと負極シートをセパレータを介して巻回した巻回型電極体を用いてリチウムイオン二次電池を製造したが、電極体の形態はこれに限定されず、例えば積層型電極体であってもよい。
【００３５】
（第１実施例）
本実施例は、容器内に収容された膨張抑制部材（内部サポート）を備えるリチウムイオン二次電池の一例である。以下、参考例１に係る部材と同様の機能を果たす部材については同じ符号を付し、その説明を省略する。
図１５に示すように、電極体１０はその厚み方向への膨張が内部サポート５０により抑制されている。この内部サポート５０は、参考例１における外部サポート３０（図１および図２参照）と同様に、電極体１０を厚み方向に挟んで配置された二枚の平板状の拘束板５２と、これらの拘束板５２をその四隅で連結する四本のボルト５４とを備える。二枚の拘束板５２は、これらのボルト５４によって、電極体１０の厚み方向に当接するように締め付けられている。このような電極体１０および内部サポート５０を、参考例１と同様の容器２０（図６参照）に収容して二次電池が構成されている。過充電等により電極体１０がその積層方向に膨張しようとすると、内部サポート５０によって電極体１０の厚み方向に圧縮応力が加わる。過充電が進行すると、この圧縮応力によって参考例１と同様に電極体１０が微小短絡する。
【００３６】
（参考例２）
参考例２は、複数の角型電池を積層配置してなる電池群と、この電池群が積層方向に膨張することを抑制する膨張抑制部材とを備えたリチウムイオン二次電池の例である。以下、参考例１に係る部材と同様の機能を果たす部材については同じ符号を付し、その説明を省略する。
図１７に示すように、参考例２の二次電池２は、複数の角型電池６２をその最大平面部２０１，２０２において積層して形成された電池群６０と、この電池群６０が積層方向に膨張することを抑制する外部サポート７０とを備える。
【００３７】
電池群６０を構成する各角型電池６２は、参考例１と同様に、電極体１０を容器２０に収容してなる（図１および図２参照）。電極体１０の積層方向両側は最大平面部２０１，２０２の内壁に当接している。各角型電池６２の間には、容器２０同士を絶縁するための絶縁シート６４が挟み込まれている。ここでは絶縁シート６４としてシリコーンゴムからなるシートを用いた。各角型電池６２の上端には正極端子２６および負極端子２８が設けられている。隣接する角型電池６２同士は、これらの端子２６，２８により直列に接続されている。なお、図１７には６個の角型電池６２を示しているが、電極群を構成する角型電池の数は例えば１０〜６０個程度とすることができる。
【００３８】
外部サポート７０は、電池群６０の積層方向の両側に配置された二枚の拘束板３２と、これらの拘束板３２を四隅で連結する四本のボルト３４とを備える。これらのボルト３４によって拘束板３２は、電池群６０の積層方向両側に当接するように締め付けられている。
なお、この二次電池２の上方には放熱用のヒートパイプ７２が配置される。このヒートパイプ７２を介して二次電池２から生じる熱を外部に放出する。あるいは、二次電池２に冷却風を（例えば二次電池２の側方から）送ることにより二次電池２を冷却してもよい。
【００３９】
このような構成の二次電池２において、角型電池６２に備えられた電極体１０（図２参照）が過充電等によりその積層方向に膨張すると、この電極体１０の膨張により角型電池６２の外形が積層方向に膨張する。その結果として、電池群６０の全体が角型電池６２の積層方向に膨張することとなる。このとき、外部サポート７０によって、電池群６０にはその積層方向に圧縮応力が加わる。この圧縮応力によって角型電池６２内の電極体１０がその積層方向への圧縮応力を受ける。過充電が進行すると、この圧縮応力によって参考例１と同様に電極体１０が微小短絡する。
【００４０】
（参考例３）
参考例３は、複数の角型電池を平面配置してなる電池群と、この電池群が電極体の積層方向に膨張することを抑制する膨張抑制部材とを備えたリチウムイオン二次電池の例である。以下、参考例１に係る部材と同様の機能を果たす部材については同じ符号を付し、その説明を省略する。
図１８に示すように、参考例３の二次電池３は、複数の角型電池６２をその最大平面部２０１が平面状に並ぶように配置してなる電池群８０と、この電池群８０が角型電池６２の厚み方向（最大平面部２０１に垂直な方向）に膨張することを抑制する外部サポート９０とを備える。
【００４１】
電池群８０を構成する各角型電池６２の構成は参考例２と同様である。これらの角型電池６２は、電極体１０（図２参照）が横倒しとなるように、相互に間隔を開けて縦横に並べられている。各角型電池６２は、正極端子２６および負極端子２８により直列に接続されている。
外部サポート９０は、電池群８０の上下（角型電池６２の厚み方向両側）に配置された拘束板３２と、これらの拘束板３２を連結するボルト（図示せず）とを備える。電池群８０の上下と拘束板３２との間には絶縁用のビニールシート（図示せず）が挟み込まれている。角型電池６２に備えられた電極体１０（図２参照）が過充電等によりその積層方向に膨張すると、外部サポート９０によって、電池群６０を構成する角型電池６２に、その厚み方向（電極体１０の積層方向）に圧縮応力が加わる。過充電が進行すると、この圧縮応力によって参考例１と同様に電極体１０が微小短絡する。
【００４２】
参考例３の二次電池３は全体の体格が薄いので、例えば車両床部等への搭載性が良好である。なお、電池群８０を構成する角型電池６２の隙間にはスペーサ６６が配置されている。このスペーサ６６により拘束板３２の間隔が一定以上に維持されている。これにより、電極体１０の非膨張時に外部からの応力によって電池群８０が押圧されることを防止している。
【００４３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】  参考例１に係る二次電池を示す斜視図である。
【図２】  図１のII−II線断面図である。
【図３】  電極体を構成する正極シートを示す平面図である。
【図４】  巻回前の電極体を示す平面図である。
【図５】  電極体を示す斜視図である。
【図６】  電極体が収容された電池容器を示す斜視図である。
【図７】  電極体の積層構造を示す模式的断面図である。
【図８】  電極体に微小短絡が生じた状態を示す模式的断面図である。
【図９】  参考例１の二次電池の過充電時における挙動の一例を模式的に示す特性図である。
【図１０】  従来の二次電池の過充電時における挙動の一例を模式的に示す特性図である。
【図１１】  参考例１の変形例に係る二次電池を示す断面図である。
【図１２】  参考例１の他の変形例に係る二次電池を示す斜視図である。
【図１３】  図１２のXIII−XIII線断面図である。
【図１４】  参考例１のさらに他の変形例に係る二次電池を示す断面図である。
【図１５】  第１実施例に係る二次電池を構成する電極体および内部サポートを示す斜視図である。
【図１６】  第１実施例に係る二次電池を示す断面図である。
【図１７】  参考例２に係る二次電池を示す斜視図である。
【図１８】  参考例３に係る二次電池を示す斜視図である。
【符号の説明】
１，２，３：二次電池
１０：電極体
１２：正極シート（正極）
１４：負極シート（負極）
１６：セパレータ（多孔質セパレータ）
２０：容器
２０１，２０２：最大平面部（平面部）
３０，７０，９０：外部サポート
３２：拘束板
３４：ボルト
３６：クランプ（外部サポート）
４０：膨張抑制部材
５０：内部サポート
５２：拘束板
５４：ボルト
６０，８０：電池群
６２：角型電池
６４：絶縁シート
【図１】
0004337294.tif 000002
【図２】
0004337294.tif 000003
【図３】
0004337294.tif 000004
【図４】
0004337294.tif 000005
【図５】
0004337294.tif 000006
【図６】
0004337294.tif 000007
【図７】
0004337294.tif 000008
【図８】
0004337294.tif 000009
【図９】
0004337294.tif 000010
【図１０】
0004337294.tif 000011
【図１１】
0004337294.tif 000012
【図１２】
0004337294.tif 000013
【図１３】
0004337294.tif 000014
【図１４】
0004337294.tif 000015
【図１５】
0004337294.tif 000016
【図１６】
0004337294.tif 000017
【図１７】
0004337294.tif 000018
【図１８】
0004337294.tif 000019